(57)【要約】【課題】コネクタにおける短絡を検出できるようにする。【解決手段】コネクタ異常検出装置が、コネクタを流れる電流の大きさを示す電流情報を取得する電流情報取得部と、電流情報取得部が取得した電流情報の示す電流の大きさが、所定の電流の大きさ以下か否かを判定する判定部と、を具備する。コネクタにおいて短絡が生じた場合、判定部が、電流情報の示す電流の大きさが、所定の電流の大きさよりも大きいと判定して、コネクタにおける短絡を検出し得る。【選択図】図１
2013019739.tif 000002
【特許請求の範囲】
【請求項１】
コネクタを流れる電流の大きさを示す電流情報を取得する電流情報取得部と、
前記電流情報取得部が取得した電流情報の示す電流の大きさが、所定の電流の大きさ以下か否かを判定する判定部と、
を具備することを特徴とするコネクタ異常検出装置。
【請求項２】
前記コネクタに音声信号を出力する音声信号出力部を具備し、
前記電流情報取得部は、前記コネクタを流れる前記音声信号の電流の大きさを示す情報を前記電流情報として取得することを特徴とする請求項１に記載のコネクタ異常検出装置。
【請求項３】
前記コネクタに試験信号を出力する試験信号出力部を具備し、
前記電流情報取得部は、前記コネクタを流れる前記試験信号の電流の大きさを示す情報を前記電流情報として取得することを特徴とする請求項１に記載のコネクタ異常検出装置。
【請求項４】
コネクタを流れる電流の大きさを示す電流情報を取得する電流情報取得ステップと、
前記電流情報取得ステップにて取得した電流情報の示す電流の大きさが、所定の電流の大きさ以下か否かを判定する判定ステップと、
を具備することを特徴とするコネクタ異常検出方法。
【請求項５】
コネクタ異常検出装置としてのコンピュータに、
コネクタを流れる電流の大きさを示す電流情報を取得する電流情報取得ステップと、
前記電流情報取得ステップにて取得した電流情報の示す電流の大きさが、所定の電流の大きさ以下か否かを判定する判定ステップと、
を実行させるためのプログラム。
【発明の詳細な説明】
【技術分野】
【０００１】
本発明は、コネクタ異常検出装置、当該コネクタ異常検出装置のコネクタ異常検出方法およびプログラムに関する。
【背景技術】
【０００２】
特許文献１に記載の携帯電話機では、その下部筐体に、イヤホンジャックがくるべき位置を囲うようにリブを、イヤホンジャックが配置される基板に接するように設ける。このリブにより水分が筐体内部に行き渡ることが阻止できるとされている。
また、特許文献２に記載の防水コネクタ構造では、プラグ・ジャック式コネクタの、ジャックの挿入穴の内周壁にリング状の弾性シール部材を設け、ジャックとプラグとの嵌合状態において、コネクタの奥行方向における複数の電気的接点端子を空間的に分離する。これにより、水中で嵌合した状態や接点端子間に水分がある状態においても各接点端子間の短絡を防ぐことができるとされている。
また、特許文献３に記載の携帯電話機では、２つの充電端子群（複数のコネクタ）が、それぞれ、携帯電話機の筐体に形成される開口部から露出するように配設されている。そして、水濡れ検出部が、これらの端子の間の抵抗値を監視することにより、これらの端子の短絡状態を検出する。これにより、筐体外部の水濡れを容易に検出することができるとされている。
【先行技術文献】
【特許文献】
【０００３】
【特許文献１】特許２０１０−１７７８８０号公報
【特許文献２】特許２００９−５９５８０号公報
【特許文献３】特許２０１０−３５０３６号公報
【発明の概要】
【発明が解決しようとする課題】
【０００４】
コネクタに異物が混入すると、当該コネクタの電気的接点間に短絡が生じ、動作不良や故障の原因となるおそれがある。例えば、イヤホンジャックに異物が混入して音声出力接点とグランド接点とが短絡すると、イヤホンに音声信号電流が流れず音声が出力されない動作不良が生じるおそれや、音声出力を行う回路に過大な電流が流れて故障するおそれがある。
しかしながら、特許文献１に記載の携帯電話機は、水分が筐体内部に行き渡ることを防止するためのものであり、コネクタにおける短絡を検出することは出来ない。
また、特許文献２に記載の防水コネクタ構造では、弾性シール部材が破損した場合や、プラグに対して弾性シール部材が緩い場合や、金属製の薄片が混入した場合などは、電気的接点端子の分離が不充分となり、動作不良や故障が生じるおそれがある。かかる場合に、特許文献２に記載の防水コネクタ構造では、コネクタにおける短絡を検出することは出来ない。
また、特許文献３に記載の携帯電話機は、筐体外部の水濡れを検出するためのものであり、コネクタにおける短絡を検出することはできない。
【０００５】
本発明は、上述の課題を解決することのできるコネクタ異常検出装置、コネクタ異常検出方法およびプログラムを提供することを目的としている。
【課題を解決するための手段】
【０００６】
この発明は上述した課題を解決するためになされたもので、本発明の一態様によるコネクタ異常検出装置は、コネクタを流れる電流の大きさを示す電流情報を取得する電流情報取得部と、前記電流情報取得部が取得した電流情報の示す電流の大きさが、所定の電流の大きさ以下か否かを判定する判定部と、を具備することを特徴とする。
【０００７】
また、本発明の一態様によるコネクタ異常検出方法は、コネクタを流れる電流の大きさを示す電流情報を取得する電流情報取得ステップと、前記電流情報取得ステップにて取得した電流情報の示す電流の大きさが、所定の電流の大きさ以下か否かを判定する判定ステップと、を具備することを特徴とする。
【０００８】
また、本発明の一態様によるプログラムは、コネクタ異常検出装置としてのコンピュータに、コネクタを流れる電流の大きさを示す電流情報を取得する電流情報取得ステップと、前記電流情報取得ステップにて取得した電流情報の示す電流の大きさが、所定の電流の大きさ以下か否かを判定する判定ステップと、を実行させるためのプログラムである。
【発明の効果】
【０００９】
本発明によれば、コネクタにおける短絡を検出し得る。
【図面の簡単な説明】
【００１０】
【図１】本発明の一の実施形態におけるコネクタ異常検出装置の構成を示す概略ブロック図である。
【図２】同実施形態における携帯電話機の構成を示す概略ブロック図である。
【図３】同実施形態における、ミニジャックと音声処理部と電流情報取得部との接続関係を示す回路図である。
【図４】同実施形態において、携帯電話機が、試験信号を用いてミニジャックにおける短絡の有無を判定する処理手順を示すフローチャートである。
【図５】同実施形態において、携帯電話機が、音声信号を用いてミニジャックにおける短絡の有無を判定する処理手順を示すフローチャートである。
【発明を実施するための形態】
【００１１】
以下、図面を参照して、本発明の実施の形態について説明する。
図１は、本発明の一の実施形態におけるコネクタ異常検出装置の構成を示す概略ブロック図である。同図においてコネクタ異常検出装置１は、電流情報取得部１１０と、判定部１８２とを具備する。また、電流情報取得部１１０は、コネクタ２２０に接続されている。なお、コネクタ２２０は、コネクタ異常検出装置１に含まれていてもよいし、コネクタ異常検出装置１の外部に設けられたコネクタであってもよい。
【００１２】
コネクタ異常検出装置１は、コネクタ２２０における短絡（コネクタ２２０の電気的接点間の短絡）を検出する。
なお、ここでいうコネクタ（Connector）とは、電気配線などの電気的経路を切断可能に接続するために用いられる部品ないし器具であり、プラグ（Plug）と、ジャック（Jack）またはソケット（Socket）等のプラグ受けとを有し、プラグがプラグ受けに差し込まれることで、電気的経路を接続する。
【００１３】
なお、コネクタ異常検出装置１は、プラグまたはプラグ受けのいずれか一方を有するものであってよい。例えば、図２を用いて後述する携帯電話機１００とヘッドセット２０１とのように、コネクタ異常検出装置１がプラグ受けを有し、当該プラグ受けに、他の機器の有するプラグが差し込まれることで、コネクタ異常検出装置１と他の機器とが電気的に接続されるものであってもよい。
【００１４】
また、ここでいうコネクタの電気的接点とは、プラグとプラグ受けとが各々有する導体であり、プラグがプラグ受けに差し込まれた状態において、プラグ側の電気的接点とプラグ受け側の電気的接点とが接触することで電気的経路を接続する。
また、ここでいうコネクタにおける短絡（コネクタの電気的接点間の短絡）とは、プラグの有する複数の電気的接点の間のインピーダンス、または、プラグ受けの有する複数の電気的接点のインピーダンスが、コネクタ本来の接続状態（プラグがプラグ受けに差し込まれた状態）におけるインピーダンスよりも小さくなることである。例えば、コネクタに異物が混入することによってコネクタにおける短絡が生じる。
【００１５】
ここで、コネクタ２２０の電気的接点間に短絡が生じると、動作不良や故障の原因となるおそれがある。そこで、コネクタ異常検出装置１が、コネクタ２２０における短絡を検出することで、動作不良のおそれがあることを表示し得る。また、コネクタ異常検出装置１が、コネクタ２２０における短絡を検出することで、コネクタ２２０を流れる電流を抑制して故障を防止し得る。
【００１６】
電流情報取得部１１０は、コネクタ２２０を流れる電流の大きさを示す電流情報を取得する。
ここで、電流情報取得部１１０が取得する電流情報としては、電流の大きさを示す様々な情報を用いることができる。例えば、電流情報取得部１１０が、コネクタ２２０と直列に接続された電流計を有してコネクタ２２０における電流値を取得するようにしてもよい。あるいは、電流情報取得部１１０が、コネクタ２２０と直列に接続された抵抗における電圧値または電力値を取得し、取得した電圧値または電力値と、当該抵抗の抵抗値とに基づいて、コネクタ２２０における電流値を算出するようにしてもよい。
【００１７】
判定部１８２は、電流情報取得部１１０が取得した電流情報の示す電流の大きさが、所定の電流（閾値電流）の大きさ以下か否かを判定する。
ここでいう閾値電流は、コネクタ２２０における短絡の有無を判定する際の基準となる閾値である。判定部１８２が、電流情報の示す電流の大きさが閾値電流の大きさ以下であると判定した場合、コネクタ２２０における短絡は無いと考えられる。一方、判定部１８２が、電流情報の示す電流の大きさが閾値電流の大きさより大きいと判定した場合、コネクタ２２０における短絡が有ると考えられる。すなわち、判定部１８２は、電流情報の示す電流の大きさが、閾値電流の大きさ以下か否かを判定することで、コネクタ２２０における短絡を検出する。
【００１８】
コネクタ２２０は、プラグとプラグ受けとを有し、プラグがプラグ受けに差し込まれることで、電気的経路を切断可能に接続する。
ここで、コネクタ２２０は、様々なタイプのコネクタであってよいし、コネクタを流れる電流も様々なものであってよい。例えば、コネクタ２２０は、標準プラグおよび標準ジャック、または、ミニプラグおよびミニジャックを有して、マイクからの音声信号あるいはヘッドホンへの音声信号を流すなど、アナログ信号を流すものであってもよい。あるいは、コネクタ２２０は、Ｄ−ｓｕｂコネクタであって、コンピュータと周辺機器との配線を接続して命令信号やデータ信号を流すなど、デジタル信号を流すものであってもよい。
【００１９】
次に、図２を参照して、本発明を携帯電話機に適用した場合を例に、本発明の実施形態についてさらに詳細に説明する。
図２は、本実施形態における携帯電話機の構成を示す概略ブロック図である。同図において、携帯電話機１００は、無線部１０１と、スピーカ１０２と、マイク１０３と、ヘッドセット検出部１０４と、表示部１０５と、電流情報取得部１１０と、ミニジャック１２０と、音声処理部（試験信号出力部、音声信号出力部）１５０と、制御部１８０と、記憶部１９１とを具備する。制御部１８０は、音声通話処理部１８１と、判定部１８２と、電流制御部１８３と、表示制御部１８４とを具備する。また、ヘッドセット２０１の有するミニプラグがミニジャック１２０に差し込まれることで、携帯電話機１００とヘッドセット２０１とが電気的に接続される。
【００２０】
携帯電話機１００は、携帯電話基地局装置と無線通信を行って、音声通話などの各種サービスを提供する。また、携帯電話機１００は、本発明におけるコネクタ異常検出装置（図１のコネクタ異常検出装置１）の一例であり、ミニジャック１２０における短絡の有無を判定し、短絡有りと判定すると、短絡を検出したことの表示や、ミニジャック１２０を流れる電流の抑制を行う。
【００２１】
なお、本発明の適用範囲は携帯電話機に限らない。本発明は、携帯情報端末（Personal Digital Assistant；ＰＤＡ）など各種携帯端末装置や、ゲーム機や、ノート型パソコン（Personal Computer；ＰＣ）や、タブレットＰＣ（Tablet PC）など、プラグまたはプラグ受けを有する様々な装置、あるいは、プラグまたはプラグ受けに接続される様々な装置に適用可能である。
【００２２】
無線部１０１は、アンテナを有し、携帯電話基地局装置から送信されるダウンリンク（Downlink）の電波を受信し、ベースバンドの受信信号への変換や復調等の処理を行ってデータを抽出し、抽出したデータを制御部１８０に出力する。また、無線部１０１は、制御部１８０から出力されるデータに対して変調や送信周波数の信号への変換等の処理を行って、携帯電話基地局装置へのアップリンク（Uplink）の電波として送信する。例えば、無線部１０１は、音声通話時における音声信号を無線にて送受信する。
【００２３】
スピーカ１０２は、音声処理部１５０から出力される電気信号に従って振動して音声を出力する。例えば、スピーカ１０２は、音声通話時に通話相手からの音声を出力する。
マイク１０３は、周囲音を採取してアナログの電気信号に変換し、音声処理部１５０に出力する。例えば、マイク１０３は、音声通話時に携帯電話機１００のユーザの音声を採取し、アナログの電気信号にて音声処理部１５０に出力する。
【００２４】
音声処理部１５０は、マイク１０３からアナログの電気信号にて出力される音声信号をデジタルの電気信号に変換して制御部１８０に出力する。また、音声処理部１５０は、制御部１８０からデジタルの電気信号にて出力される音声信号を、アナログの電気信号に変換してスピーカ１０２に出力する。
また、音声処理部１５０は、携帯電話機１００がヘッドセット２０１と電気的に接続された状態において、制御部１８０から出力される信号を、ミニジャック１２０を介してヘッドセット２０１に出力し、また、ミニジャック１２０を介してヘッドセット２０１から出力される信号を制御部１８０に出力する。特に、音声処理部１５０は、ミニジャック１２０に試験信号を出力する。あるいは、音声処理部１５０は、ミニジャック１２０に音声信号を出力する。
【００２５】
ここでの試験信号は、音声処理部１５０が生成してミニジャック１２０に電流として出力する信号であり、電流情報取得部１１０は、この試験信号のミニジャック１２０における電流値を電流情報として取得する。音声処理部１５０が、試験信号として比較的微弱な電流を生成して出力することで、携帯電話機１００の各部（特に、音声処理部１５０や、音声通話処理部１８１を実現するＣＰＵ）に過大な電流が流れることを防止しつつ、ミニジャック１２０における短絡の有無を判定し得る。
また、音声処理部１５０が出力する試験信号は、電流情報を取得可能（例えば電流値を測定可能）なものであればよく、様々な波形の信号を用いることが出来る。例えば、音声処理部１５０が、試験信号として直流電圧をミニジャック１２０の電気的接点に印加する（直流電流をミニジャック１２０の電気的接点に流す）ようにしてもよいし、あるいは、正弦波交流電圧を印加するようにしてもよい。
試験信号を用いた、ミニジャック１２０における短絡の有無の判定については、図４を用いて後述する。
【００２６】
また、ここでの音声信号としては、例えば、音声通話時に音声通話処理部１８１が出力する通話相手からの音声信号を用いることができる。音声信号を用いてミニジャック１２０における短絡の有無の判定を行う場合、音声処理部１５０は、試験信号の生成や出力を行う必要が無い。従って、試験信号を用いる場合と比較して、音声処理部１５０の構成を簡単に出来るので、携帯電話機１００のコンパクト化を図ることができる。
音声信号を用いた、ミニジャック１２０における短絡の有無の判定については、図５を用いて後述する。
【００２７】
また、音声処理部１５０は、電流制御部１８３からの指示に従って、ミニジャック１２０を流れる電流を抑制する。具体的には、音声処理部１５０自らとミニジャック１２０とを電気的に接続ないし切断するスイッチを有する。そして、音声処理部１５０は、ミニジャック１２０を流れる電流を抑制するよう電流制御部１８３から指示されると、当該スイッチを開いて音声処理部１５０自らとミニジャック１２０とを電気的に切断することで、ミニジャック１２０を流れる電流を抑制する。
【００２８】
ヘッドセット検出部１０４は、ヘッドセット２０１の有するミニプラグがミニジャック１２０に差し込まれているか否かを判定することで、携帯電話機１００とヘッドセット２０１とが電気的に接続された状態を検出する。ヘッドセット検出部１０４が行う判定については、図３を用いて後述する。
【００２９】
表示部１０５は、例えば液晶パネル等の表示画面を有し、表示制御部１８４の制御に従って、動画像や静止画像や文字列（テキスト）など各種情報を表示する。特に、表示部１０５は、判定部１８２がミニジャック１２０における短絡を検出すると、短絡を検出したことを示すメッセージを表示する。例えば、表示部１０５は、短絡を検出したことを示すメッセージとして、動作不良のおそれがある旨のメッセージ、あるいは、ミニジャック１２０内の異物を取り除くよう促すメッセージを表示する。
【００３０】
電流情報取得部１１０は、図１における電流情報取得部１１０の一例であり、コネクタを流れる電流の大きさを示す電流情報を取得する。特に、音声処理部１５０がミニジャック１２０に試験信号を出力する場合、電流情報取得部１１０は、ミニジャック１２０を流れる試験信号の電流の大きさを示す情報を電流情報として取得する。あるいは、音声処理部１５０がミニジャック１２０に音声信号を出力する状態において、電流情報取得部１１０が、ミニジャック１２０を流れる音声信号の電流の大きさを示す情報を電流情報として取得するようにしてもよい。
【００３１】
なお、図３を用いて後述するように、本実施形態では、電流情報取得部１１０は、ミニジャック１２０の電気的接点と電気的に接続された抵抗の両端電圧を測定し、測定した電圧に基づいて、ミニジャック１２０を流れる電流（抵抗を流れる電流）の電流値を、電流情報として算出（取得）する。
【００３２】
ミニジャック１２０は、図１におけるコネクタ２２０の一例であり、ヘッドセット２０１の有するミニプラグと共にコネクタを構成する。本実施形態におけるミニジャック１２０は、５極（５接点）のミニジャックであり、３．５ミリメートル（ｍｍ）径の差込口を有して、ヘッドセット２０１の有するミニプラグの差込を受ける。ミニジャック１２０がヘッドセット２０１の有するミニプラグの差込を受けることで、携帯電話機１００とヘッドセット２０１とが電気的に接続される。
なお、上述したように、本発明は、ミニジャック１２０に限らず様々なコネクタに適用可能である。
【００３３】
制御部１８０は、例えば携帯電話機１００の有するＣＰＵ（Central Processing Unit、中央処理装置）が、記憶部１９１の記憶するプログラムを読み出して実行することで構築され、携帯電話機１００の各部を制御する。
【００３４】
音声通話処理部１８１は、音声通話機能を実行する。具体的には、音声通話処理部１８１は、発呼処理や終呼処理や着信処理を行う。また、通話時において音声通話処理部１８１は、通話相手の電話機からの音声を、音声処理部１５０を介してスピーカ１０２に出力させ、また、マイク１０３が採取する音声を音声処理部１５０からの音声データとして取得すると、当該音声データを無線部１０１に出力して電波にて送信させる。
【００３５】
判定部１８２は、図１における判定部１８２の一例であり、電流情報取得部１１０が取得した電流情報の示す電流の大きさが、所定の電流の大きさ以下か否かを判定する。具体的には、判定部１８２は、電流情報取得部１１０から電流情報として出力される電流値が、記憶部１９１の記憶する閾値以下か否かを判定する。
この判定部１８２が行う判定は、ミニジャック１２０における短絡の検出に該当する。すなわち、判定部１８２は、電流情報取得部１１０から出力される電流値が、記憶部１９１の記憶する閾値よりも大きいと判定することで、ミニジャック１２０における短絡を検出する。
【００３６】
電流制御部１８３は、判定部１８２の判定結果に基づいてコネクタ２２０を流れる電流を制御する。具体的には、電流制御部１８３は、判定部１８２がミニジャック１２０における短絡を検出すると、ミニジャック１２０を流れる電流を抑制するよう音声処理部１５０に指示することで、コネクタ２２０を流れる電流を抑制する。
【００３７】
表示制御部１８４は、表示部１０５を制御して各種情報を表示させる。特に、表示制御部１８４は、判定部１８２がミニジャック１２０における短絡を検出すると、短絡を検出したことを示すメッセージを表示部１０５に表示させる。
記憶部１９１は、制御部１８０が処理を行うための各種プログラムや各種データを記憶する。特に、記憶部１９１は、判定部１８２がミニジャック１２０における短絡の検出に用いる閾値を記憶する。
【００３８】
次に、図３を用いて電流情報取得部１１０が行う電流情報の取得について説明する。
図３は、ミニジャック１２０と音声処理部１５０と電流情報取得部１１０との接続関係を示す回路図である。
同図において、ミニジャック１２０は、マイク接点１２１と、ヘッドセット検出接点１２２と、音声出力接点１２３および１２４と、グランド接点１２５と、マイク端子１３１と、ヘッドセット検出端子１３２と、音声出力端子１３３および１３４と、グランド端子１３５とを有する。音声処理部１５０は、スイッチ１５１〜１５３を有する。電流情報取得部１１０は、電流値検出回路１１１と、抵抗１１２〜１１４とを有する。
【００３９】
マイク接点１２１は、マイク端子１３１を介して抵抗１１２の一端と電気的に接続され、抵抗１１２の他端は、音声処理部１５０の端子を介してスイッチ１５１と電気的に接続されている。ヘッドセット検出接点１２２は、ヘッドセット検出端子１３２を介してヘッドセット検出部１０４と電気的に接続されている。そして、ヘッドセット検出接点１２２は、ヘッドセット検出部１０４を介して、電流値検出回路１１１と音声処理部１５０とに電気的に接続されている。音声出力接点１２３は、音声出力端子１３３を介して抵抗１１３の一端と電気的に接続され、抵抗１１３の他端は、音声処理部１５０の端子を介してスイッチ１５２と電気的に接続されている。音声出力接点１２４は、音声出力端子１３４を介して抵抗１１４の一端と電気的に接続され、抵抗１１４の他端は、音声処理部１５０の端子を介してスイッチ１５３と電気的に接続されている。グランド接点１２５は、グランド端子１３５を介してグランド１４１と電気的に接続されている。また、抵抗１１２、１１３および１１４の両端は、それぞれ電流値検出回路１１１と電気的に接続されている。
【００４０】
マイク接点１２１と、ヘッドセット検出接点１２２と、音声出力接点１２３および１２４と、グランド接点１２５とは、ミニジャック１２０が有する電気的接点であり、導体で構成される。
マイク接点１２１は、ヘッドセット２０１の有するミニプラグがミニジャック１２０に差し込まれた状態（以下、「コネクタ接続状態」と称する）において、ヘッドセット２０１の有するマイクと電気的に接続され、当該マイクから電気信号にて出力される音声信号を取得する。
ヘッドセット検出接点１２２は、コネクタ接続状態において、ヘッドセット２０１の有するミニプラグを介してグランド接点１２５と電気的に接続される。これにより、ヘッドセット検出部１０４は、コネクタ接続状態においてグランド１４１と電気的に接続され、後述するように、ヘッドセット検出部１０４は、ヘッドセット２０１の有するミニプラグがミニジャック１２０に差し込まれていると判定（検出）することができる。
【００４１】
音声出力接点１２３は、コネクタ接続状態において、ヘッドセット２０１の有するスピーカと電気的に接続され、音声処理部１５０から電気信号にて出力される音声信号を当該スピーカに出力する。音声出力接点１２４は、コネクタ接続状態において、ヘッドセット２０１の有するもう１つのスピーカと電気的に接続され、音声処理部１５０から電気信号にて出力される音声信号を当該スピーカに出力する。
グランド接点１２５は、コネクタ接続状態において、ヘッドセット２０１の有するスピーカやマイクの一端をグランド１４１と電気的に接続する。ここで、グランド１４１は、携帯電話機１００におけるグランド（Ground、基準電位点）である。
【００４２】
マイク端子１３１と、ヘッドセット検出端子１３２と、音声出力端子１３３および１３４と、グランド端子１３５とは、ミニジャック１２０が有する端子であり、それぞれ、マイク接点１２１と、ヘッドセット検出接点１２２と、音声出力接点１２３および１２４と、グランド接点１２５とを、ミニジャック１２０の外部と電気的に接続するために用いられる。
【００４３】
抵抗１１２〜１１４は、いずれも電気抵抗であり、抵抗自らを流れる電流に比例した電位差（電圧）を、抵抗自らの両端に生じさせる。
電流値検出回路１１１は、抵抗１１２〜１１４の両端の電圧値に基づいて電流情報を生成する。
例えば、電流値検出回路１１１は、電圧センサを有して抵抗１１２の両端の電圧値を測定する。また、電流値検出回路１１１は抵抗１１２の抵抗値を予め記憶しており、測定した電圧値を抵抗値で除算して、抵抗１１２を流れる電流（マイク接点１２１を流れる電流）の電流値を算出する。そして、電流値検出回路１１１は算出した電流値を電流情報（第１電流情報）として判定部１８２に出力する。
【００４４】
同様に、電流値検出回路１１１は、電圧センサを有して抵抗１１３の両端の電圧値を測定する。また、電流値検出回路１１１は抵抗１１３の抵抗値を予め記憶しており、測定した電圧値を抵抗値で除算して、抵抗１１３を流れる電流（音声出力接点１２３を流れる電流）の電流値を算出する。そして、電流値検出回路１１１は算出した電流値を電流情報（第２電流情報）として判定部１８２に出力する。
同様に、電流値検出回路１１１は、電圧センサを有して抵抗１１４の両端の電圧値を測定する。また、電流値検出回路１１１は抵抗１１４の抵抗値を予め記憶しており、測定した電圧値を抵抗値で除算して、抵抗１１４を流れる電流（音声出力接点１２４を流れる電流）の電流値を算出する。そして、電流値検出回路１１１は算出した電流値を電流情報（第３電流情報）として判定部１８２に出力する。
【００４５】
音声処理部１５０において、スイッチ１５１〜１５３は、上述した音声処理部１５０自らとミニジャック１２０とを電気的に接続ないし切断するスイッチである。音声処理部１５０は、電流制御部１８３から受ける指示に従ってスイッチ１５１〜１５３の開閉を行うことで、ミニジャック１２０を流れる電流を制御する。
【００４６】
ヘッドセット検出部１０４は、ヘッドセット検出接点１２２に電圧を加え、ヘッドセット検出接点１２２における電流値を測定する。
ここで、ヘッドセット検出接点１２２とグランド接点１２５とが電気的に切断された状態では、ヘッドセット検出接点１２２に電圧が加わっても、ヘッドセット検出接点１２２に電流は流れない。一方、コネクタ接続状態においては、ヘッドセット検出接点１２２とグランド接点１２５とが電気的に接続され、ヘッドセット検出接点１２２に電圧が加わると、当該電圧によってヘッドセット検出接点１２２に電流が流れる。
そこで、ヘッドセット検出部１０４は、ヘッドセット検出接点１２２における電流測定値（絶対値）と所定の閾値とを比較し、閾値より大きいの場合に、コネクタ接続状態にある、すなわち、ヘッドセット２０１の有するミニプラグがミニジャック１２０に差し込まれていると判定する。一方、ヘッドセット検出接点１２２における電流測定値（絶対値）が閾値以下の場合、ヘッドセット検出部１０４は、コネクタ接続状態にない、すなわち、ヘッドセット２０１の有するミニプラグがミニジャック１２０に差し込まれていないと判定する。
【００４７】
次に、図４および図５を参照して携帯電話機１００の動作について説明する。
図４は、携帯電話機１００が、試験信号を用いてミニジャック１２０における短絡の有無を判定する処理手順を示すフローチャートである。携帯電話機１００は、自らの電源を接続（ＯＮ）されて起動すると、同図の処理を開始する。
同図の処理において、まず、電流制御部１８３が、音声処理部１５０に対して、ミニジャック１２０を流れる電流を抑制するよう指示し、音声処理部１５０は、スイッチ１５１〜１５３（図３）を開いて、ミニジャック１２０を流れる電流を抑制する（ステップＳ１０１）。ミニジャック１２０が短絡した状態で電流を流して携帯電話機１００が故障することを防止するためである。
【００４８】
次に、ヘッドセット検出部１０４が、コネクタ接続状態にあるか否か、すなわち、ヘッドセット２０１の有するミニプラグがミニジャック１２０に差し込まれているか否かを判定する（ステップＳ１０２）。コネクタ接続状態にないと判定した場合（ステップＳ１０２：ＮＯ）、ステップＳ１０２に戻る。なお、コネクタ接続状態にない場合、携帯電話機１００は、マイク１０３およびスピーカ１０２を用いて音声通話機能などの各種機能を実行する。
【００４９】
一方、ステップＳ１０２において、コネクタ接続状態にあると判定した場合（ステップＳ１０２：ＹＥＳ）、ヘッドセット検出部１０４は、コネクタ接続状態を検出したことを示す情報を電流制御部１８３に出力し、電流制御部１８３は、音声処理部１５０に対して、試験信号を出力するよう指示する。そして、音声処理部１５０は、電流制御部１８３からの指示に従って、スイッチ１５１〜１５３（図３）を閉じ、試験信号の生成およびミニジャック１２０への出力を開始する（ステップＳ１０３）。
【００５０】
また、ヘッドセット検出部１０４は、コネクタ接続状態を検出したことを示す情報を電流情報取得部１１０に出力する。当該情報を取得した電流情報取得部１１０は、抵抗１１２（図３）における電流値Ｉ１を第１電流情報として取得し、判定部１８２に出力する（ステップＳ１１１）。電流情報取得部１１０から第１電流情報が出力されると、判定部１８２は、当該第１電流情報が、記憶部１９１の記憶する、第１電流情報に対する閾値（例えば０．２ミリアンペア（ｍＡ））以下か否かを判定する（ステップＳ１１２）。
【００５１】
閾値以下であると判定した場合（ステップＳ１１２：ＹＥＳ）、判定部１８２は電流情報取得部１１０に対して第２電流情報を要求する。そして、電流情報取得部１１０は、抵抗１１３（図３）における電流値Ｉ２を第２電流情報として取得し、判定部１８２に出力する（ステップＳ１２１）。電流情報取得部１１０から第２電流情報が出力されると、判定部１８２は、当該第２電流情報が、記憶部１９１の記憶する、第２電流情報に対する閾値（例えば２ミリアンペア）以下か否かを判定する（ステップＳ１２２）。
【００５２】
閾値以下であると判定した場合（ステップＳ１２２：ＹＥＳ）、判定部１８２は電流情報取得部１１０に対して第３電流情報を要求する。そして、電流情報取得部１１０は、抵抗１１４（図３）における電流値Ｉ３を第３電流情報として取得し、判定部１８２に出力する（ステップＳ１３１）。電流情報取得部１１０から第３電流情報が出力されると、判定部１８２は、当該第３電流情報が、記憶部１９１の記憶する、第３電流情報に対する閾値（例えば２ミリアンペア）以下か否かを判定する（ステップＳ１３２）。
【００５３】
閾値以下であると判定した場合（ステップＳ１３２：ＹＥＳ）、判定部１８２は、短絡を検出しなかったことを示す情報を電流制御部１８３に出力し、電流制御部１８３は、音声処理部１５０に対して、音声信号をミニジャック１２０に流すよう指示する。当該指示を受けた音声処理部１５０は、試験信号の生成および出力を終了し、音声信号の流通を開始する。具体的には、音声処理部１５０は、音声通話処理部１８１から出力されるデジタルの音声信号をアナログの音声信号に変換してミニジャック１２０に出力し、また、ミニジャック１２０から出力されるアナログの音声信号をデジタルの音声信号に変換して音声通話処理部１８１に出力する（ステップＳ１４１）。
【００５４】
また、ヘッドセット検出部１０４は、コネクタ接続状態にあるか否か、すなわち、ヘッドセット２０１の有するミニプラグがミニジャック１２０に差し込まれているか否かを判定する（ステップＳ１４２）。コネクタ接続状態にあると判定した場合（ステップＳ１４２：ＹＥＳ）、ステップＳ１４２に戻る。一方、コネクタ接続状態にないと判定した場合（ステップＳ１４２：ＮＯ）、ステップＳ１０１に戻る。
【００５５】
一方、ステップＳ１１２において、第１電流情報が閾値より大きいと判定した場合（ステップＳ１１２：ＮＯ）や、ステップＳ１２２において、第２電流情報が閾値より大きいと判定した場合（ステップＳ１２２：ＮＯ）や、ステップＳ１３２において、第３電流情報が閾値より大きいと判定した場合（ステップＳ１３２：ＮＯ）、判定部１８２は、短絡を検出したことを示す情報を電流制御部１８３に出力する。そして、電流制御部１８３は、音声処理部１５０に対して、ミニジャック１２０を流れる電流を抑制するよう指示し、音声処理部１５０は、スイッチ１５１〜１５３（図３）を開いて、ミニジャック１２０を流れる電流を抑制する（ステップＳ１５１）。
【００５６】
また、判定部１８２は、短絡を検出したことを示す情報を表示制御部１８４にも出力し、表示制御部１８４は、短絡を検出したことを示すメッセージを表示部１０５に表示させる（ステップＳ１５２）。
その後、同図の処理を終了し、音声処理部１５０は、ミニジャック１２０を流れる電流の抑制を、携帯電話機１００の電源が切断（ＯＦＦ）されるまで継続する。また、表示部１０５は、短絡を検出したことを示すメッセージの表示を、携帯電話機１００の電源が切断されるまで継続する。
【００５７】
図５は、携帯電話機１００が、音声信号を用いてミニジャック１２０における短絡の有無を判定する処理手順を示すフローチャートである。携帯電話機１００は、自らの電源を接続（ＯＮ）されて起動すると、同図の処理を開始する。
ステップＳ２０１〜Ｓ２０２は、図４のステップＳ１０１〜Ｓ１０２と同様である。
【００５８】
ステップＳ２０２において、コネクタ接続状態にあると判定した場合（ステップＳ２０２：ＹＥＳ）、ヘッドセット検出部１０４は、コネクタ接続状態を検出したことを示す情報を電流制御部１８３に出力し、電流制御部１８３は、音声処理部１５０に対して、音声信号を出力するよう指示する。当該指示を受けた音声処理部１５０は、音声信号の流通を開始する。具体的には、音声処理部１５０は、音声通話処理部１８１から出力されるデジタルの音声信号をアナログの音声信号に変換してミニジャック１２０に出力し、また、ミニジャック１２０から出力されるアナログの音声信号をデジタルの音声信号に変換して音声通話処理部１８１に出力する（ステップＳ２０３）。
【００５９】
次のステップＳ２１１は、図４のステップＳ１１１と同様である。
ステップＳ２１１で、電流情報取得部１１０から第１電流情報が出力されると、判定部１８２は、当該第１電流情報が、記憶部１９１の記憶する、第１電流情報に対する閾値（例えば１ミリアンペア（ｍＡ））以下か否かを判定する（ステップＳ２１２）。
【００６０】
ここで、図４のステップＳ１１２の場合よりも閾値が大きいのは、音声信号として様々な信号（電流）がミニジャック１２０を流れ得るので、短絡の誤検出防止のために、正常状態においてミニジャック１２０を流れると想定される電流の最大値よりも大きい閾値を設定する必要があるためである。一方、図４では、試験信号を用いて短絡の有無を判定するので、試験信号の電流値に応じて様々な閾値を設定し得る。図４の例では、音声処理部１５０は、正常状態においてミニジャック１２０を流れると想定される電流の最大値の５分の１の電流を試験信号として生成および出力しており、閾値も、図５の場合の５分の１に設定されている。上述したように、試験信号として比較的微弱な電流を生成して出力することで、携帯電話機１００の各部に過大な電流が流れることを防止しつつ、ミニジャック１２０における短絡の有無を判定し得る。ステップＳ２２２およびステップＳ２３２についても同様である。
【００６１】
ステップＳ２１２において、閾値以下であると判定した場合（ステップＳ２１２：ＹＥＳ）、ステップＳ２２１に進む。このステップＳ２２１は、図４のステップＳ１２１と同様である。
ステップＳ２２１で、電流情報取得部１１０から第２電流情報が出力されると、判定部１８２は、当該第２電流情報が、記憶部１９１の記憶する、第２電流情報に対する閾値（例えば１０ミリアンペア）以下か否かを判定する（ステップＳ２２２）。
【００６２】
ステップＳ２２２において、閾値以下であると判定した場合（ステップＳ２２２：ＹＥＳ）、ステップＳ２３１に進む。このステップＳ２３１は、図４のステップＳ１３１と同様である。
ステップＳ２３１で、電流情報取得部１１０から第３電流情報が出力されると、判定部１８２は、当該第３電流情報が、記憶部１９１の記憶する、第３電流情報に対する閾値（例えば１０ミリアンペア）以下か否かを判定する（ステップＳ２３２）。
【００６３】
閾値以下であると判定した場合（ステップＳ２３２：ＹＥＳ）、ステップＳ２１１に戻る。
ここで、ステップＳ２１１に戻って判定を繰り返すのは、音声信号が小さかった可能性があるためである。例えば、携帯電話機１００が音声通話機能を実行しており、当該音声通話機能における通話の音声信号を用いて短絡の有無を判定する場合、携帯電話機１００のユーザも通話相手も共に発話していないときは、ミニジャック１２０に電流が流れず、ミニジャック１２０の電気的接点間が短絡していても判定部１８２が検出できないおそれがある。そこで、携帯電話機１００が、ステップＳ２１１〜Ｓ２３２の判定処理を繰り返し行うことで、携帯電話機１００のユーザまたは通話相手が比較的大きい音声で発話したときに、短絡を検出し得る。
また、判定を繰り返し行うことで、携帯電話機１００の使用中に短絡が発生した場合（例えば、携帯電話機１００のユーザが、携帯電話機１００の使用中にジュース等の液体をこぼし、当該液体が、ミニジャック１２０に入り込んだ場合）にも、すぐに短絡を検出し得る。
【００６４】
一方、ステップＳ２１２において、第１電流情報が閾値より大きいと判定した場合（ステップＳ２１２：ＮＯ）や、ステップＳ２２２において、第２電流情報が閾値より大きいと判定した場合（ステップＳ２２２：ＮＯ）や、ステップＳ２３２において、第３電流情報が閾値より大きいと判定した場合（ステップＳ２３２：ＮＯ）、ステップＳ２４１に進む。
【００６５】
ステップＳ２４１〜Ｓ２４２は、図４のステップＳ１５１〜Ｓ１５２と同様である。
ステップＳ２４２の後、図５の処理を終了し、音声処理部１５０は、ミニジャック１２０を流れる電流の抑制を、携帯電話機１００の電源が切断（ＯＦＦ）されるまで継続する。また、表示部１０５は、短絡を検出したことを示すメッセージの表示を、携帯電話機１００の電源が切断されるまで継続する。
【００６６】
以上のように、電流情報取得部１１０が電流情報を取得し、判定部１８２が、電流情報の示す電流の大きさが閾値以下か否かを判定する。ミニジャック１２０において短絡が生じた場合には、判定部１８２が、電流情報の示す電流の大きさが閾値よりも大きいと判定して、ミニジャック１２０における短絡を検出し得る。
【００６７】
また、携帯電話機１００が音声信号を用いてミニジャック１２０における短絡の有無を判定する場合、音声処理部１５０は、試験信号の生成および出力を行う必要が無い。従って、試験信号を用いる場合と比較して、音声処理部１５０の構成を簡単に出来るので、携帯電話機１００のコンパクト化を図ることができる。
また、携帯電話機１００が音声信号を用いてミニジャック１２０における短絡の有無を判定する場合、携帯電話機１００は、ミニジャック１２０への音声信号の入出力（すなわち、ヘッドセット２０１への音声信号の入出力）と、短絡の有無の判定とを並行して行うことが出来る。従って、携帯電話機１００は、ミニジャック１２０における短絡の有無の判定を繰り返し行うことが出来るので、携帯電話機１００の使用中に短絡が発生した場合にも、すぐに短絡を検出し得る。
【００６８】
また、携帯電話機１００が試験信号を用いてミニジャック１２０における短絡の有無を判定する場合、音声処理部１５０が、試験信号として比較的微弱な電流を生成して出力することで、携帯電話機１００の各部に過大な電流が流れることを防止しつつ、ミニジャック１２０における短絡の有無を判定し得る。
【００６９】
なお、制御部１８０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７０】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００７１】
１  コネクタ異常検出装置
１００  携帯電話機
１０１  無線部
１０２  スピーカ
１０３  マイク
１０４  ヘッドセット検出部
１０５  表示部
１１０  電流情報取得部
１２０  ミニジャック
１５０  音声処理部
１８０  制御部
１８１  音声通話処理部
１８２  判定部
１８３  電流制御部
１８４  表示制御部
１９１  記憶部
２２０  コネクタ
【図１】
2013019739.tif 000003
【図２】
2013019739.tif 000004
【図３】
2013019739.tif 000005
【図４】
2013019739.tif 000006
【図５】
2013019739.tif 000007